(57)【要約】【課題】  複数の扉部材が引き戸タイプとして構成された場合でも、家具本体の収納容積を大きく確保できる収納家具を提供すること。【解決手段】  家具本体１１の開口部１２に、相互に略同一面内に位置する第１及び第２の扉部材１３，１４が設けられている。これら扉部材の上部と前記家具本体の天板２１の上部との間には、各扉部材を傾斜姿勢とするように回転可能な支持部材１５が設けられているとともに、当該支持部材１５は移動機構１６を介して間口方向に沿って移動可能となっている。第１及び第２の扉部材は、下部を前方に引き出して閉塞時の面位置から傾斜させることで間口方向に沿って移動可能に設けられている。【選択図】      図１
2005248649.tif 000002
【特許請求の範囲】
【請求項１】
内部に収納空間が形成されているとともに、前部に開口部を備えた家具本体と、相互に略同一面内に位置して前記開口部を閉塞する第１及び第２の扉部材と、これら第１及び第２の扉部材の面位置をそれぞれ角度変位可能に支持する支持部材と、当該支持部材を前記開口部の間口方向に沿って移動させる移動機構とを備え、
前記第１及び第２の扉部材は、閉塞時の面位置から所定角度変位した姿勢で前記間口方向に沿って移動可能に設けられていることを特徴とする収納家具。
【請求項２】
内部に収納空間が形成されているとともに、前部に開口部を備えた家具本体と、相互に略同一面内に位置して前記開口部を閉塞する第１及び第２の扉部材と、これら第１及び第２の扉部材の上部と前記家具本体の天板の上部との間に設けられて第１及び第２の扉部材の面を角度変位可能に支持する支持部材と、前記天板の上部側で前記開口部の間口方向に沿って設けられるとともに、前記支持部材を前記間口方向に沿って移動させる移動機構とを備え、
前記第１及び第２の扉部材は、それらの下部を前方に引き出して閉塞時の面位置から傾斜させた姿勢で前記間口方向に沿う操作力を付与したときに、前記間口方向に沿って移動可能に設けられていることを特徴とする収納家具。
【請求項３】
前記支持部材は、第１及び第２の扉部材の上部に固定されて角度変位可能に設けられたアームにより構成される一方、前記移動機構は、前記アームの先端側に設けられた移動体と、当該移動体を間口方向に移動させるガイドレールとにより構成されていることを特徴とする請求項１又は２記載の収納家具。
【請求項４】
前記第１及び第２の扉部材の上部外面側又は上部内面側に面取り部が形成され、当該面取り部により、各扉部材を間口方向に移動させるときの傾斜角度が抑制されることを特徴とする請求項１，２又は３記載の収納家具。
【請求項５】
何れか一方の扉部材を何れか他方の扉部材の前面側に重なる位置としたときに、これら扉部材の相対面間に挟まれる緩衝材を更に含むことを特徴とする請求項４記載の収納家具。
【発明の詳細な説明】
【技術分野】
【０００１】
本発明は、内部に一定の収納空間を有する家具本体の開口部に引き戸タイプの扉部材を備えた収納家具に係り、詳しくは、扉部材を略引き違い状態で開閉可能にしても家具本体の収納容積を大きく確保することのできる収納家具に関する。
【背景技術】
【０００２】
従来より、キッチンなどの上部領域でキッチン用具等の収納を行えるようにする吊り戸棚等からなる収納家具が知られている。この収納家具は、前部に開口部を備えた箱状の家具本体と、この家具本体の前記開口部側に配置された引き違い扉又は観音扉とを備えたものが一般的に知られている。引き違い扉は、間口に沿って延びる二条のレールが開口部形成領域の前後二箇所に必要となり、家具本体の収納容積を狭めてしまう欠点を有する。この一方、観音扉は、手前側に扉を回転させるための空間が必要となるため、他の家具との位置的な干渉を生じさせない設計上の制約がある。
【０００３】
そこで、特許文献１に示されるように、左右の扉部材が家具本体の開口部を閉塞した状態で相互に略同一面内に位置するようにし、一方の扉部材を開くときに、引き違い状態にして他方の扉部材の前面側に重なるように間口方向に沿ってスライド操作可能な収納家具が提案されている。
【０００４】
【特許文献１】特開２００２−２９５１１６号公報
【発明の開示】
【発明が解決しようとする課題】
【０００５】
しかしながら、特許文献１に記載された収納家具にあっては、左右両側に位置する扉部材と家具本体の天板との間に略平行四辺形リンクを含むシフト機構をそれぞれ構成し、これらリンクを所定角度変位させることにより扉部材の面位置を前方に移動可能として当該前方に移動した扉部材を間口方向に移動可能とする構成となっている。そのため、構造が極めて複雑となり、これが収納家具全体の製造コストを上昇させる要因となっている。また、このような複雑な構造は、反復継続的に行われる扉部材の開閉に伴って動作不良を起こすリスクが高いものとなる。しかも、動作不良を起こした際のメンテナンス作業は、天板上部領域となるため、天井の直下位置で吊り戸棚のように収納家具を用いた場合には、狭い空間内での複雑な作業が余儀なくされる、という不都合がある。
【０００６】
［発明の目的］
本発明は、このような不都合に着目して案出されたものであり、その目的は、複数の扉部材を閉塞時に略同一面内に位置する構成としても、当該扉部材を角度変位させて開閉方向に移動させることができ、引き戸タイプとしても収納容積を大きく確保できる収納家具を提供することにある。
【０００７】
また、本発明の他の目的は、前記扉部材を移動させる構造を簡易にして耐久性を付与することができる収納家具を提供することにある。
【課題を解決するための手段】
【０００８】
前記目的を達成するため、本発明は、内部に収納空間が形成されているとともに、前部に開口部を備えた家具本体と、相互に略同一面内に位置して前記開口部を閉塞する第１及び第２の扉部材と、これら第１及び第２の扉部材の面位置をそれぞれ角度変位可能に支持する支持部材と、当該支持部材を前記開口部の間口方向に沿って移動させる移動機構とを備え、
前記第１及び第２の扉部材は、閉塞時の面位置から所定角度変位した姿勢で前記間口方向に沿って移動可能に設けられる、という構成を採っている。
【０００９】
また、本発明は、内部に収納空間が形成されているとともに、前部に開口部を備えた家具本体と、相互に略同一面内に位置して前記開口部を閉塞する第１及び第２の扉部材と、これら第１及び第２の扉部材の上部と前記家具本体の天板の上部との間に設けられて第１及び第２の扉部材の面を角度変位可能に支持する支持部材と、前記天板の上部側で前記開口部の間口方向に沿って設けられるとともに、前記支持部材を前記間口方向に沿って移動させる移動機構とを備え、
前記第１及び第２の扉部材は、それらの下部を前方に引き出して閉塞時の面位置から傾斜させた姿勢で前記間口方向に沿う操作力を付与したときに、前記間口方向に沿って移動可能に設けられる、という構成を採っている。
【００１０】
本発明において、前記支持部材は、第１及び第２の扉部材の上部に固定されて角度変位可能に設けられたアームにより構成される一方、前記移動機構は、前記アームの先端側に設けられた移動体と、当該移動体を間口方向に移動させるガイドレールとにより構成することができる。
【００１１】
また、前記第１及び第２の扉部材の上部外面側に面取り部が形成され、当該面取り部により、各扉部材を間口方向に移動させるときの傾斜角度が抑制されるように設けられている。この際、何れか一方の扉部材を何れか他方の扉部材の前面側に重なる位置としたときに、これら扉部材の相対面間に挟まれる緩衝材を設けることが好ましい。
【発明の効果】
【００１２】
本発明によれば、開口部を開放するときは、扉部材に設けられる所定の把手部を持って手前側に引き操作すればよい。これにより、扉部材が閉塞時の面位置に対して所定角度変位することとなる。従って、この角度変位した姿勢で間口方向に操作力を付与することで、他方の扉部材と干渉することなく引き違い姿勢に近い状態で開口部を開閉することができ、引き戸タイプとしても家具本体の収納容積を大きく確保した収納家具を提供することができる。
【００１３】
前記角度変位に際しては、収納家具が吊り戸棚として構成された場合に、支持部材が第１及び第２の扉部材の上部側に設けられていることとの関係から、操作箇所を扉部材の下部に設定することが好ましいものとなる。この場合、作用点をなす操作箇所は角度変位の中心位置から最も離れた位置となるため、軽い操作感で扉部材を傾斜姿勢に変位させることが可能となる。
【００１４】
また、移動体はローラー等により構成でき、当該ローラーをガイドレールに沿わせて転動させる構成が可能となるため、間口方向への扉部材の移動もスムースに行うことができる。しかも、ローラーとガイドレールとの極めて簡易な構成となるため、動作不良等を生ずるおそれも回避可能となり、メンテナンスフリーが期待でき、収納家具を天井直下で吊り戸棚として利用することに適したものとすることができる。
【００１５】
更に、扉部材の上部外面に面取り部を形成することにより、扉部材を大きく手前側に引き操作することなく閉塞時の面位置に対する傾斜角度を小さく抑制することが可能となり、操作負担を軽減することができる。加えて、扉部材に緩衝材を設けることにより、開口部を開放して扉部材が前後に重なった状態となっても、それらの相対面を傷付けてしまうこともない。
【発明を実施するための最良の形態】
【００１６】
以下、本発明の好ましい実施の形態について図面を参照しながら説明する。
【００１７】
図１には、扉部材が閉塞位置に保たれた収納家具の概略斜視図が示され、図２には、扉部材を開放した概略斜視図が示されている。これらの図において、収納家具１０は、キッチンＫを形成する壁面Ｗの上部に配置されて吊り戸棚として構成されている。この収納家具１０は、内部に収納空間が形成されているとともに、前部に開口部１２が形成された箱状の家具本体１１と、前記開口部１２を閉塞する第１及び第２の扉部材１３，１４と、これら第１及び第２の扉部材１３，１４をそれぞれ角度変位可能に支持する支持部材１５，１５と、当該支持部材１５，１５を介して角度変位した扉部材１３又は１４を略引き違い姿勢となるように移動させる移動機構１６とを備えて構成されている。
【００１８】
前記家具本体１１は、特に限定されるものではないが、本実施形態では、左右一対の側壁２０と、これら側壁２０の上端部間及び下端部間にそれぞれ配置された天板２１及び底板２２と、側壁２０と内部仕切壁２３との間に掛け渡された棚板２４と、これらの後端に配置された背板２５とを備えて構成されている。
【００１９】
前記第１及び第２の扉部材１３，１４は、相互に略同一となる略方形の平面形状に設けられているとともに、その上部前面側に面取り部２６，２６が左右両端に達する長さに亘って形成されている。この一方、下部中央部には、第１及び第２の扉部材１３，１４を開閉操作する際の把手部２８，２８がそれぞれ形成されている。ここで、前記面取り部２６，２６は、第１及び第２の扉部材１３，１４の上部板厚が下部よりも薄くなる傾斜面に設けられており、これにより、後述するように、開口部１２を開閉する際の傾斜角度を小さく抑制できるように設けられている。
【００２０】
前記支持部材１５，１５は、図３及び図４に示されるように、第１及び第２の扉部材１３，１４の上部と、前記天板２１の上部との間に位置する片状をなす外側アーム１５Ａ及び内側アーム１５Ｂにより構成されている。これら外側アーム１５Ａ及び内側アーム１５Ｂは、第１及び第２の扉部材１３，１４を最大限開放位置としたときに、相互に干渉することがない位置に設けられている。すなわち、第１の扉部材１３に設けられた外側アーム１５Ａ及び内側アーム１５Ｂは、当該第１の扉部材１３の幅方向中央よりも右側に配置されている一方、第２の扉部材１４に設けられた外側アーム１５Ａ及び内側アーム１５Ｂは、当該第２の扉部材１４の幅方向中央よりも左側に配置されている。これらアーム１５Ａ，１５Ｂは、各扉部材１３，１４の上端裏面側に形成された凹溝３０内に固定された前面部３１と、この前面部３１の上端から後方に屈曲された平面部３３と、当該平面部３３の後端から下方に向けられて前記前面部３１と略平行となる後面部３４とを含み、側端形状が略反転Ｌ字状をなす形状に設けられている。ここで、前面部３１は、第１及び第２の扉部材１３，１４の上端よりも上方に突出する長さを備えて移動機構１６の上方から回り込むようにして前記後面部３４の下端部が移動機構１６に連結されている。なお、前記前面部３１の下端部において、裏面側にはゴム若しくはウレタン等からなる適宜なクッション性を備えた緩衝材３７が取り付けられている。この緩衝材３７は、例えば、前記開口部１２を開放して第１の扉部材１３が第２の扉部材１４の前面側に位置するように重ね合わされたときに、これら第１及び第２の扉部材１３，１４の相対面に挟まれて直接的な接触を防止するものであり、これによって、第２の扉部材１４の正面側が傷つけられないようになっている。なお、この緩衝材３７に替えてローラー等を設けることにより第１及び第２の扉部材１３，１４の間口方向の移動をよりスムースにする構成としても良い。
【００２１】
前記移動機構１６は、図３ないし図５に示されるように、天板２１の上面において、当該天板２１の左右方向（間口方向）に沿って延びる上向き略コ字状若しくは略Ｃ字状のガイドレール４０と、当該ガイドレール４０内の前後及び左右に位置する合計四つを一ユニットとする移動体としてのローラー４１と、これらローラー４１を回転可能に相互に連結して当該ローラー４１と共に移動体を構成するフレームＦとからなる。フレームＦは、前後のローラー４１間に位置する車軸４２，４２と、これら車軸４２間に掛け渡された連結軸４３と、当該連結軸４３回りを回転可能に設けられるとともに、連結軸４３の軸方向に移動不能に設けられスリーブ４５とにより構成され、当該スリーブ４５の外周面に前記外側アーム１５Ａ及び内側アーム１５Ｂにおける各後面部３４，３４の下端が溶接等の手段を介して固定されている。なお、図１及び図２中符号４６はレンジフードを示す。また、ここでは図示省略しているが、前記ガイドレール４０には、第１及び第２の扉部材１３，１４の移動領域を規制するためのストッパが設けられている。
【００２２】
以上の構成において、本実施形態に係る収納家具１０は、第１及び第２の扉部材１３，１４が閉塞位置にあるときに、それらが略同一面内に位置して閉塞状態を維持することとなる（図６及び図７参照）。ここで、例えば、第１の扉部材１３を開放しようとするときは、把手部２８を手前側に引き操作すればよい。すると、前記外側アーム１５Ａ及び内側アーム１５Ｂの後面部３４，３４に固定されているスリーブ４５，４５が連結軸４３，４３回りを回転することとなり、第１の扉部材１３は、下部が上部に対して前方位置となる傾斜姿勢となる（図５参照）。
【００２３】
このようにして第１の扉部材１３を傾斜姿勢に角度変位させた状態で、当該第１の扉部材１３を第２の扉部材１４側に向けて間口方向に移動させる操作力を付与すればよい。そして、家具本体１１における開口部１２の略半分領域を開放したときに、把手部２８を離すことで、前記緩衝材３７が第２の扉部材１４の面取り部２６に接触することとなる（図８及び図９参照）。
【００２４】
従って、このような実施形態によれば、把手部２８を持って手前側に引き操作した後に間口方向に第１及び第２の扉部材１３，１４を移動させるだけで、開口部１２の開閉を行うことが可能となる。
【００２５】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、前記実施形態では、移動機構１６を構成するガイドレール４０が上向き略コ字状の部材により構成された場合を図示、説明したが、図１０ないし図１２に示されるように、丸軸状をなす一本のレール軸５０を設け、このレール軸５０回りにスリーブ４５が位置するように設けることもできる。この際、スリーブ４５は、レール軸５０に沿う移動をスムースなものとするために、適宜なベアリング機構を備えたものにより構成することができる。このような構成とすれば、移動機構１６を簡易に構成することが可能となる。
【００２７】
また、前記実施形態では、第１及び第２の扉部材１３，１４が平坦な板材により構成されているが、これら扉部材１３，１４は、側端面視で下部領域が後方へ屈曲若しくは略弓状に湾曲した形状を備えたものとしてもよい。この場合、家具本体１１は、下部側の奥行き幅が上部側の奥行き幅よりも小さい形状となるものが採用される。このような構成とした場合には、第１及び第２の扉部材１３，１４を手前側に引き操作して閉塞時の面位置から角度変位させたときに、把手部２８の高さ方向における変位量を抑制することができ、間口方向に沿う操作負担を軽減することができる。
要するに、本発明は、第１及び第２の扉部材１３，１４を閉塞時の面位置から所定角度変位させることで間口方向へ移動させて引き違い扉と略同じような操作で開口部１２を開閉できる構成であれば足りる。
【００２８】
また、前記実施形態では、前記面取り部２６が第１及び第２の扉部材１３，１４の上部外面側に設けられた場合を示したが、本発明はこれに限定されるものではなく、第１及び第２の扉部材１３，１４の上部内面側に面取り部２６が設けられた構成も採用することができる。
【図面の簡単な説明】
【００２９】
【図１】本実施形態に係る収納家具の扉部材の閉塞時を示す概略斜視図。
【図２】一方の扉部材を開放した状態を示す図１と同様の概略斜視図。
【図３】図１のＡ−Ａ線に沿う矢視拡大断面図。
【図４】図３の拡大平面図。
【図５】第１の扉部材を傾斜姿勢に角度変位した状態を示す一部拡大側面図。
【図６】扉部材を閉塞位置とした収納家具の概略正面図。
【図７】図６の要部拡大平面図。
【図８】第１の扉部材を第２の扉部材の前面側に重なる位置まで移動させた状態を示す概略正面図。
【図９】図８の要部拡大平面図。
【図１０】変形例を示す図３と同様の断面図。
【図１１】変形例を示す図５と同様の断面図。
【図１２】図１０の概略平面図。
【符号の説明】
【００３０】
１０…収納家具、１１…家具本体、１２…開口部、１３…第１の扉部材、１４…第２の扉部材、１５…支持部材、１５Ａ…外側アーム、１５Ｂ…内側アーム、１６…移動機構、２６…面取り部、３７…緩衝材、４０…ガイドレール、４１…移動体を構成するローラー、Ｆ…移動体を構成するフレーム
【図１】
2005248649.tif 000003
【図２】
2005248649.tif 000004
【図３】
2005248649.tif 000005
【図４】
2005248649.tif 000006
【図５】
2005248649.tif 000007
【図６】
2005248649.tif 000008
【図７】
2005248649.tif 000009
【図８】
2005248649.tif 000010
【図９】
2005248649.tif 000011
【図１０】
2005248649.tif 000012
【図１１】
2005248649.tif 000013
【図１２】
2005248649.tif 000014